(57)【要約】【課題】  取付位置を動かすことなくレバーの回動位置を所定位置に合わせることができ、また、合わせ調整作業が簡単に行える遊技機島設備における球補給調整装置を提供する。【解決手段】  球補給調整装置のレバー１５に、球タンクに当接可能な当接部材５６を備え、該当接部材５６は、球タンクに当接可能な当接面５９を形成した本体部５７と、該本体部５７をレバー１５に取り付ける取付機構５８とから構成され、該取付機構５８は、レバー１５の移動方向に沿って本体部５７に複数設けられてレバーを挿嵌可能な挿嵌空部６１と、該挿嵌空部６１にレバー１５を着脱可能な状態で保持する押圧部材６２とを備え、レバーを複数の挿嵌空部６１のいずれかに挿嵌し押圧部材６２で押圧することで、当接面５９とレバー１５との位置関係を調整可能とした。【選択図】  図６
2005218549.tif 000002
【特許請求の範囲】
【請求項１】
遊技機を設置するとともにその上方に球補給樋を設けた島設備側に取り付けられ、前記球補給樋から分岐した分岐管の下端を接続する分岐管接続部と、
該分岐管接続部に連通する第１流下路が縦方向に形成され島設備に取り付けられる固定側流路部材と、
前記遊技機の内枠の裏側上部に配設された球タンクに押圧されて、前後方向に移動可能なレバーと、
該レバーを球タンク側に付勢する付勢手段と、
ストッパー部を有すると共に前記レバーの移動に伴って回動し、前記第１流下路に連通可能な第２流下路が形成された可動流路部材と、
を備え、
前記内枠が閉じられて球タンクがレバーを所定位置まで後退させることにより可動流路部材が所定位置まで回動すると、前記ストッパー部が第１流下路の下端出口側から待避して第２流下路が第１流下路に連通して第２流下路の下端出口から球を球タンク内に供給可能な第１状態と、レバーが所定位置から外れると第１流下路の下端出口にストッパー部が位置して球の供給を停止する第２状態とに変換可能な遊技機島設備における球補給調整装置において、
前記レバーに、前記球タンクに当接可能な当接部材を備え、
該当接部材は、
前記球タンクに当接可能な当接面を形成した本体部と、該本体部をレバーに取り付ける取付機構とから構成され、
該取付機構は、
前記レバーの移動方向に沿って本体部に複数設けられて前記レバーを挿嵌可能な挿嵌空部と、該挿嵌空部にレバーを着脱可能な状態で保持する保持部材とを備え、
前記レバーを複数の挿嵌空部のいずれかに挿嵌し保持部材で保持することで、前記当接面とレバーとの位置関係を調整可能としたことを特徴とする遊技機島設備における球補給調整装置。
【請求項２】
前記保持部材は、
前記挿嵌空部内のレバーを挿嵌空部の区画壁に押圧する押圧部材であることを特徴とする請求項１に記載の遊技機島設備における球補給調整装置。
【請求項３】
前記保持部材は、
前記挿嵌空部の側面開口を閉塞可能な蓋部材により構成され、
前記レバーが挿嵌された挿嵌空部を前記蓋部材により閉塞すると、レバーに形成した係合受部に蓋部材または本体部の少なくとも一方が係合することを特徴とする請求項１に記載の遊技機島設備における球補給調整装置。
【発明の詳細な説明】
【技術分野】
【０００１】
本発明は、球を使用するパチンコ機などの遊技機に球を供給する遊技機島設備における球補給調整装置に関する。
【背景技術】
【０００２】
遊技機（例えばパチンコ機）の球タンク内に球（遊技球）を供給する従来の球補給調整装置については、供給管の下流側に短尺な可動管部材を枢軸により回動自在に支持し、該可動管部材と共に回動するレバーを、上記枢軸を中心にして回動するように設けたものが提案されている（例えば、特許文献１参照）。この球補給調整装置は、遊技機島設備に設置されたパチンコ機の内枠（前面枠）を閉じるとレバーが球タンクの後退に追従して所定位置まで回動し、これにより可動管部材が垂下姿勢になって供給管と連通するとともに供給管内のストッパーが退避して賞球の補給を可能とし、内枠を開くと球タンクの前進に追従してレバーが回動し、これにより可動管部材が振り上げ状態に変換するとともにストッパーが供給管内に進出して賞球の流下を阻止する構成である。
【特許文献１】実開平６−３１７８７号公報
【発明の開示】
【発明が解決しようとする課題】
【０００３】
ところで、遊技店では、パチンコ機の機種交換が頻繁に行われているが、そのパチンコ機の球タンクは、その奥行き（後端の位置）が機種やメーカーによって異なる場合がある。そして、交換後のパチンコ機の球タンクの奥行きが交換前の機種のものと異なると、球補給調整装置のレバーが所定位置へ回動しない。具体的には、交換後の球タンクの奥行きが交換前よりも長いと、レバーが所定位置よりも多く回動しようとして、可動管部材の回動部分に負荷を掛けすぎてしまう。一方、奥行きが交換前よりも短いと、レバーが所定位置まで回動せず、十分にストッパーが供給管から退避しないので、球の補給がスムーズに行われない。
【０００４】
そのため、球補給調整装置の中には、その取付位置を上下調整可能な調整機構を備え、レバーの回動中心から球タンクとの当接位置までの距離を調整して、レバーの回動位置を所定位置に合わせ調整できるものが提案されている。しかし、球補給調整装置の取付位置を上下に動かすと、供給管の下端が球タンクの底面から離れ過ぎて、球が大きく跳ね返って球タンクからこぼれ易くなってしまったり、あるいは供給管の下端が球タンクに干渉して、調整の範囲が限られてしまったりする。
【０００５】
また、球補給調整装置は、遊技機島設備の裏側に取り付けられ、レバー以外は球タンクよりも上方に位置している。このため、パチンコ機の内枠を開いて遊技機島設備の中を覗き込みながら球補給調整装置の位置を調整しなければならず、調整作業の負担が大きくなってしまう。
【０００６】
そこで、本発明は、上記の事情に鑑みてなされたものであり、その目的は、取付位置を動かすことなくレバーの回動位置を所定位置に合わせることができ、また、この位置合わせ調整作業が簡単に行える遊技機島設備における球補給調整装置を提供することを目的とする。
【課題を解決するための手段】
【０００７】
本発明は、上記目的を達成するために提案されたものであり、請求項１に記載のものは、遊技機を設置するとともにその上方に球補給樋を設けた島設備側に取り付けられ、前記球補給樋から分岐した分岐管の下端を接続する分岐管接続部と、
該分岐管接続部に連通する第１流下路が縦方向に形成され島設備に取り付けられる固定側流路部材と、
前記遊技機の内枠の裏側上部に配設された球タンクに押圧されて、前後方向に移動可能なレバーと、
該レバーを球タンク側に付勢する付勢手段と、
ストッパー部を有すると共に前記レバーの移動に伴って回動し、前記第１流下路に連通可能な第２流下路が形成された可動流路部材と、
を備え、
前記内枠が閉じられて球タンクがレバーを所定位置まで後退させることにより可動流路部材が所定位置まで回動すると、前記ストッパー部が第１流下路の下端出口側から待避して第２流下路が第１流下路に連通して第２流下路の下端出口から球を球タンク内に供給可能な第１状態と、レバーが所定位置から外れると第１流下路の下端出口にストッパー部が位置して球の供給を停止する第２状態とに変換可能な遊技機島設備における球補給調整装置において、
前記レバーに、前記球タンクに当接可能な当接部材を備え、
該当接部材は、
前記球タンクに当接可能な当接面を形成した本体部と、該本体部をレバーに取り付ける取付機構とから構成され、
該取付機構は、
前記レバーの移動方向に沿って本体部に複数設けられて前記レバーを挿嵌可能な挿嵌空部と、該挿嵌空部にレバーを着脱可能な状態で保持する保持部材とを備え、
前記レバーを複数の挿嵌空部のいずれかに挿嵌し保持部材で保持することで、前記当接面とレバーとの位置関係を調整可能としたことを特徴とする遊技機島設備における球補給調整装置である。
【０００８】
請求項２に記載のものは、前記保持部材は、
前記挿嵌空部内のレバーを挿嵌空部の区画壁に押圧する押圧部材であることを特徴とする請求項１に記載の遊技機島設備における球補給調整装置である。
【０００９】
請求項３に記載のものは、前記保持部材は、
前記挿嵌空部の側面開口を閉塞可能な蓋部材により構成され、
前記レバーが挿嵌された挿嵌空部を前記蓋部材により閉塞すると、レバーに形成した係合受部に蓋部材または本体部の少なくとも一方が係合することを特徴とする請求項１に記載の遊技機島設備における球補給調整装置である。
【発明の効果】
【００１０】
本発明によれば、以下のような優れた効果を奏する。
請求項１に記載の発明によれば、内枠が閉じられて球タンクがレバーを所定位置まで後退させることにより可動流路部材が所定位置まで回動すると、ストッパー部が第１流下路の下端出口側から待避して第２流下路が第１流下路に連通して第２流下路の下端出口から球を球タンク内に供給可能な第１状態と、レバーが所定位置から外れると第１流下路の下端出口にストッパー部が位置して球の供給を停止する第２状態とに変換可能な遊技機島設備における球補給調整装置において、前記レバーに、前記球タンクに当接可能な当接部材を備え、該当接部材は、前記球タンクに当接可能な当接面を形成した本体部と、該本体部をレバーに取り付ける取付機構とから構成され、該取付機構は、前記レバーの移動方向に沿って本体部に複数設けられて前記レバーを挿嵌可能な挿嵌空部と、該挿嵌空部にレバーを着脱可能な状態で保持する保持部材とを備え、前記レバーを複数の挿嵌空部のいずれかに挿嵌し保持部材で保持することで、前記当接面とレバーとの位置関係を調整可能としたので、設置される遊技機の球タンクの奥行きが機種やメーカーにより異なっていても、球補給調整装置自体の取付位置を移動することなく、第１状態におけるレバーの回動位置を所定位置に容易に合わせることができる。したがって、球タンクと球補給調整装置とが離れ過ぎて球が球タンクで弾んで外に落下してしまったり、また、可動流路部材の下端と球タンクとが干渉してしまったりする不都合を防ぐことができる。
さらに、遊技機島設備の正面から作業し易い位置に当接部材を設けることができ、調整作業の負担を抑えることができる。
【００１１】
請求項２に記載の発明によれば、前記保持部材を、前記挿嵌空部内のレバーを挿嵌空部の区画壁に押圧する押圧部材としたので、簡単な構成で当接部材をレバーに保持することができる。
【００１２】
請求項３に記載の発明によれば、前記保持部材は、前記挿嵌空部の側面開口を閉塞可能な蓋部材により構成され、前記レバーが挿嵌された挿嵌空部を前記蓋部材により閉塞すると、レバーに形成した係合受部に蓋部材または本体部の少なくとも一方が係合するので、レバーが変形するほどの負荷を掛けることなく当接部材を取り付けることができ、当接部材の保持によりレバーが損傷する不都合を防ぐことができる。また、挿嵌空部の側面開口が引っ掛けられてレバーが誤動作してしまうことを防ぐことができ、不意に遊技球が球補給調整装置から流下する不都合を阻止することができる。
【発明を実施するための最良の形態】
【００１３】
以下、本発明の実施の最良形態を図面に基づいて説明する。
図１は代表的な弾球遊技機であるパチンコ機１を設置した遊技機設置島２の上横桟３に本発明に係る球補給調整装置４を取り付けた状態を示す斜視図、図２は球補給調整装置４の斜視図である。
【００１４】
遊技機設置島２（以下、「島２」という）は、図１に示すように、上横桟３と下横桟５の間に複数のパチンコ機１と球貸機（図示せず）を並べて設置し、上部には球補給樋６を島２の長手方向に傾斜した状態で設け、上横桟３にはパチンコ機１ごとに球補給調整装置４を取り付け、各球補給調整装置４に球補給樋６から分岐した分岐管７を接続してある。また、この島２の内部には、長手方向のほぼ中央、あるいは端部に球揚送装置（図示せず）を設置するとともに、島２の下部に球回収樋（図示せず）を島２の長手方向に沿って設置し、各パチンコ機１から排出された球（アウト球）を球回収樋を介して球揚送装置に回収し、該球揚送装置により球を研磨しながら島２の上部の上部タンク（図示せず）に揚送し、該上部タンクから前記球補給樋６、分岐管７、及び球補給調整装置４を介して各パチンコ機１の球タンク８に球を供給（補給）するように構成されている。なお、球タンク８は、パチンコ機１の内枠（前面枠）９の裏側上部に配設されている。
【００１５】
球補給調整装置４は、図２に示すように、島２側（具体的には上横桟３の後面）に取り付けるための固定ベース１０（本発明におけるベース部材の一部）と、該固定ベース１０に対して上下方向にスライド可能なスライドベース１１（本発明におけるベース部材の一部）と、スライドベース１１に取り付けられ分岐管７の下端を接続する分岐管接続部１２と、該分岐管接続部１２に連通する第１流下路１３が縦方向に形成された固定側流路部材１４と、パチンコ機１の球タンク８に押圧されて回動可能なレバー１５と、上記第１流下路１３に連通可能な第２流下路１６が形成されてレバー１５と一体的に回動する可動流路部材１７とから概略構成されている。なお、説明の便宜上、島２の前方、すなわち遊技者側を「前」、島２の内部側を「後」として、以下説明する。
【００１６】
固定ベース１０は、金属板を略門形に屈曲成形した部材であり、図４に示すように、中央上横面部２０の上端を前方に屈曲して上固定面部２１を形成し、中央上横面部２０の左側に左縦面部２２を形成するとともに該左縦面部２２に溝状のレール部２３を縦方向に設け、中央上横面部２０の右側に断面コ字状のスライドガイド部２４を縦方向に設け、レール部２３の左側に突出した左側取付片２５、スライドガイド部２４の右側に突出した右側取付片２６、及び上固定面部２１にそれぞれ取付孔２７を開設してある。また、スライドガイド部２４には、高さ設定用のねじ孔２８と、縦方向（スライドベース１１のスライド方向）に並んだ複数の位置決め孔２９とを開設してある。
【００１７】
スライドベース１１は、金属板を成形した部材であり、図４に示すように、取付面部３０の左側縁に、固定ベース１０のレール部２３に嵌合する嵌合片３１を、右側縁に、スライドガイド部２４に係合するガイド受部３２を形成し、該ガイド受部３２には、縦方向に長い長孔３３を開設するとともに位置決め孔２９に嵌合可能な突起部３４をスライドガイド部２４に向けて突設している。また、上記取付面部３０には、後述する各部品を取り付けるための取付孔３５を所定位置に開設してある。したがって、スライドベース１１の嵌合片３１を固定ベース１０のレール部２３内に遊嵌し、ガイド受部３２をスライドガイド部２４に係合すると、スライドベース１１を固定ベース１０に対して高さ調整することができ、突起部３４を所望の位置決め孔２９に嵌合すると、スライドベース１１の高さを位置決めできる。また、スライドベース１１の長孔３３内に通したビス３３ａをスライドガイド部２４のねじ孔２８に螺合して締め付けるとスライドベース１１を所望する高さに止めることができる。
【００１８】
スライドベース１１に取り付ける固定側流路部材１４は、本実施形態では、ブロック状の流路接続部材３６と、該流路接続部材３６の上部を取り付ける座部材３７と、流路接続部材３６の下部に取り付ける下部流路部材３８との３つの部材を組み合わせて構成されており、流路接続部材３６および下部流路部材３８の内部には、球を一列に通す第１流下路１３がほぼ垂直方向に一連に開設されている。
【００１９】
座部材３７は、横方向から垂直方向に屈曲した流路を内部に形成した分岐管接続部１２を回動可能な状態で取り付ける部材であり、左右に突設した取付片４０の孔内に通したビス４１をスライドベース１１の取付孔３５に締め込むことによりスライドベース１１の上部に取り付けられる。なお、分岐管接続部１２は、横方向に配置した丸パイプ状の分岐管保持部１２ａに、軸方向に沿ったスリットを複数箇所形成し、分岐管７の下半部分を構成している可撓管７´の先端（下端）を流路内に差し込んで接続し、この状態で押圧レバー１２ｂにより分岐管保持部１２ａの一部分を内側に撓ませて可撓管７´が抜け難いようにしてある。また、分岐管保持部１２ａの内周面に可撓管７´を差し込んだ状態で抜けを防止する抜け防止手段、具体的には可撓管７´に係止する係止爪片（図示せず）を設けている。なお、可撓管７´としては、金属線材をパイプ状に巻成したコイル管や蛇腹管など公知のフレキシブルパイプを使用することができる。
【００２０】
流路接続部材３６は、第１流下路１３の一部を構成する流路を縦方向に形成した箱状の部材である。そして、一側部から延出した流路係止部３６ａを、座部材３７の下部および下部流路部材３８の上部に形成された流路係止受部４２に係止し、他側部に設けた流路係合部３６ｂを、座部材３７の下部および下部流路部材３８の上部に形成された流路係合受部４３に係合し、分岐管接続部１２内の流路と第１流下路１３とを連通している。なお、この流路接続部材３６は、単に球を通すだけでも良いが、必要に応じて、内部に球計数装置を設けてもよい。球計数装置はどのような構成でもよいが、例えば、スプロケット（図示せず）の端部を流路内に臨ませた状態で流路接続部材３６の内部に設けるとともに、スプロケットの回動量を検出する検出器（図示せず）を設け、スプロケットの外周部に形成した溝内に球が１つずつ嵌合した状態で流下することによりスプロケットが回転し、この回転量を検出器により検出することにより流下した球の数を計数し、所定数の球が流下するとスプロケットの回転をソレノイド駆動のストッパー部により停止する構成でもよい。
【００２１】
下部流路部材３８は、第１流下路１３の下端部分を形成した部材であり、図５に示すように、縦方向から斜め下方に湾曲した湾曲流下部４５を内部に形成し、該湾曲流下部４５の下端出口４６を前方に向けて斜め下方に開口し、縦方向から斜めに湾曲する変曲部分の外側（湾曲方向とは逆側）の部分、すなわち湾曲流下部４５の下端出口４６とは第１流下路１３を挟んで反対側に支軸用の軸受部４７が形成されている。そして、第１流下路１３の下端出口４６は、その開口縁が支軸４８を中心とする曲面に沿って成形されている。この様な構成から成る下部流路部材３８をスライドベース１１に取り付ける場合には、下端出口４６が前方に向いた状態で取付孔４９内に挿入したビス５０をスライドベース１１の取付孔３５内に螺合して締め付ける。
【００２２】
可動流路部材１７は、第１流下路１３に連通可能な第２流下路１６を形成するとともに、第１流下路１３の下端出口４６の直ぐ下に入り込んで下端出口４６から球が流下することを阻止するストッパー部を設けた部材である。この可動流路部材１７は、図５（ｂ）に示すように、第１流下路１３の下端出口４６から球を球タンク８内に供給する第１状態のときに前方へ急な下り傾斜となるように第２流下路１６を形成している。この第２流下路１６は、後方に配置された第１流路区画形成部５２と前方に配置された第２流路区画形成部５３と左右に配置された壁状の流路区画形成部とにより区画されている。
【００２３】
そして、壁状流路区画形成部から後方に向けて腕片５４をそれぞれ延設し、両腕片５４の先端を支軸４８により固定側流路部材１４、具体的には下部流路部材３８の軸受部４７に軸着して回動可能な状態で取り付けている。なお、第１流路区画形成部５２の上端は、軸受部４７周りに回動して下端出口４６の下に位置することができ、流下する球のストッパー部として機能する。
【００２４】
また、一方の腕片５４の先端には、レバー１５の上端が固定されている。このレバー１５は、下方へ延設され、可動流路部材１７とともに前後方向へ回動可能な短冊状板材であり、軸受部４７を中心にして板厚方向へ回動する状態に配置され、球タンク８から受ける力を効率よく可動流路部材１７に伝達できるように構成されている。また、レバー１５の上端部分には、下部流路部材３８に当接可能なストッパー１５ａを備え、可動流路部材１７が第１状態の時に後方へ回動し過ぎるのを抑止できるように構成されている。
【００２５】
そして、レバー１５の中央部分には、当接部材５６が着脱可能な状態で取り付けられている。この当接部材５６は、内枠を閉じた時に球タンク８の上端縁に当接する部材であり、図６に示すように、ブロック状の本体部５７と、該本体部５７をレバー１５に取り付ける取付機構５８とから構成されている。本体部５７は、球タンク８に当接可能な当接面５９を前面に形成するとともにレバー１５よりも前方（球タンク８寄り）に配置し（図５参照）、該当接面５９を、可動流路部材１７の下端が下を向く所定位置（第１状態）よりも後退した状態であっても球タンク８に当接する上下長さに設定している。
【００２６】
取付機構５８は、本体部５７、詳しくは当接面５９の位置を前後に調整してレバー１５に本体部５７を取り付ける機構であり、レバー１５の中央部分を挿嵌可能な複数の挿嵌空部６１と、該挿嵌空部６１内にレバー１５を着脱可能な状態で押圧して保持する押圧部材６２（本発明における保持部材の一種）とを備えている。挿嵌空部６１は、本体部５７の一方の側面に当接部材５６の上下に亘って形成された縦長なスリット状の空間であり、レバー１５の厚さよりも十分に広い側面開口および空間を備え、レバー１５の移動方向、言い換えると本体部５７の前後方向に沿って等間隔に複数（本実施形態では３つ）形成されている。そして、図７に示すように、当該挿嵌空部６１の区画壁のうちレバー１５の前面（球タンク８側に向いた面）と対向する部分（対向面６４）を、本体部５７の当接面５９と平行に形成している（図７参照）。
【００２７】
また、押圧部材６２は、各挿嵌空部６１を前後方向に連通する連通孔６５に後方から挿通可能な部材であり、本実施形態では止めネジを採用している。この押圧部材６２は、先端部を挿嵌空部６１に突出してレバー１５を押圧可能とし、側部を当接部材５６の後端部に回動自在な状態で螺着して、回動することにより先端部の突出位置を前後調整できるように構成されている。
【００２８】
このような構成を備えた当接部材５６をレバー１５に取り付けるには、図６および図７に示すように、取付機構５８のいずれかの挿嵌空部６１にレバー１５を挿嵌し、この状態で押圧部材６２を回動して先端部をレバー１５に押し付ける。すると、押圧部材６２がレバー１５を挿嵌空部６１の対向面６４に押圧して、挿嵌空部６１内にレバー１５を保持することができる。すなわち、当接部材５６をレバー１５に止着することができる。なお、レバー１５には、挿嵌空部６１の奧側の下端縁に係合可能な係合受部６６が形成されており、レバー１５の側部を挿嵌空部６１の奥に押し当てれば、当接部材５６の上下方向の位置が決まるように構成されている（図６（ｃ）参照）。また、レバー１５を挿嵌空部６１の対向面６４に押圧すると、レバー１５の前面と当接面５９とが前後且つ平行に配置される。したがって、球タンク８から当接面５９が押圧力を受けてもレバー１５が捩れることがなく、レバー１５や可動流路部材１７に負荷が掛かり難い。さらに、この押圧力をレバー１５および可動流路部材１７に効率よく伝達して、スムーズに可動流路部材１７を回動させることができる。
【００２９】
また、当接部材５６をレバー１５から取り外すには、押圧部材６２を押し付け方向とは反対に回動して先端部をレバー１５から離し、レバー１５の押圧状態を解除すればよい。このように簡単な構成および操作で、レバー１５に対して当接部材５６を着脱することができる。
【００３０】
そして、当接部材５６は、複数の挿嵌空部６１のうち、どの挿嵌空部６１にレバー１５を保持するかによって、レバー１５と当接面５９との位置関係、具体的にはレバー１５から当接面５９までの突出距離、言い換えると当接部材５６と球タンク８との当接開始位置を前後に段階的に異ならせることができる。なお、本実施形態の当接部材５６は、当接面５９の位置を３段階に調整できるように構成されているが、本発明はこれに限定されず何段階でもよい。また、当接面５９の位置を調整した球補給調整装置４の作用については、後で詳細に説明する。
【００３１】
そして、本実施形態では、レバー１５の回動により作動する検出器６８を備え、該検出器６８により内枠９の開放状態を検出できるようにしてある。具体的には、スライドベース１１側に、前記検出器６８を可動流路部材１７に隣接した状態で取り付け、可動流路部材１７の一方の腕片５４から横方向に作動片６９を突設し、該作動片６９が検出器６８に作用するように構成する（図２および図３参照）。
【００３２】
詳細に説明すると、内枠９が所定位置まで閉じられた状態では、当接部材５６およびレバー１５が球タンク８に押されて所定位置まで回動し、これに伴って作動片６９が回動して検出器６８をオンにする一方、内枠９が開かれると、球タンク８の前進により当接部材５６およびレバー１５が前方に向けて回動し、これにより作動片６９が検出器６８をオフにするように構成する。
【００３３】
なお、レバー１５は、下部流路部材３８に設けた付勢部材としてのスプリング７０により、下端が前方に向けて回動する方向、すなわち球タンク８側に付勢され、球タンク８の移動に伴って回動するように構成されている。したがって、レバー１５に連動する可動流路部材１７も第２状態となるように上記スプリング７０により付勢されている。
【００３４】
また、図面に示す実施形態では、検出器６８をマイクロスイッチにより構成して作動片６９により操作するようにしたが、検出器はこれに限定されるものではない。例えば、発光素子と受光素子からなるフォトタイプの検出器をスライドベース側に設け、この検出器に作用する作動部材を遮光片として可動流路部材１７と一体的に回動する状態にして設け、該遮光片の回動により検出器の光を遮断・通過させて検出するように構成してもよい。
【００３５】
次に、上記した構成から成る球補給調整装置４の作用について説明する。
まず、球補給調整装置４を島２に取り付ける場合には、固定ベース１０を島２の上横桟３にビスや釘で固定し、分岐管７の下端を分岐管接続部１２に接続する。そして、島２に設置したパチンコ機１の球タンク８の高さに合わせてスライドベース１１の上下位置を調整し、球タンク８の奥行きに合わせて当接部材５６の取付位置（当接面５９の突出位置）を調整する。この場合、図３および図５（ｂ）に示すように、内枠９を所定位置まで後退させて確実に閉じると、レバー１５に取り付けた当接部材５６が球タンク８の上端に押圧されてストッパー１５ａが下部流路部材３８に当接する位置までレバー１５を後退させるように、すなわち、第１流下路１３と第２流下路１６とが連通する第１状態に変換するように調整することが望ましい。
【００３６】
第１流下路１３と第２流下路１６とが連通する第１状態においては、図５（ｂ）に示すように、可動流路部材１７の第１流路区画形成部５２が第１流下路１３の下端出口４６から外れるので、管理室からの補給信号により分岐管７の入口に設けられたゲートが開くと、球補給樋６から分岐管７を介して球補給調整装置４内に球が流れ込み、この球が第１流下路１３から第２流下路１６を流下し、第２流下路１６の下端開口部から流下し、これにより球を球タンク８内に供給することができる。
【００３７】
球詰まりや球止まりなどのトラブルが発生し、これを修復するため等で内枠９を開いた場合、内枠９を前方に回動するにしたがって球タンク８が前進し、球タンク８の前進に追従して当接部材５６およびレバー１５が下端を前進させる方向に回動する。すると、可動流路部材１７が当接部材５６およびレバー１５の回動に伴って下端を前進させる方向に回動する。この様にして可動流路部材１７が回動すると、図５（ａ）に示すように、第１流路区画形成部５２の上端が第１流下路１３の下端出口４６の直ぐ下に移動する。したがって、内枠９を開いた時に球の補給（供給）が行われていたとしても、第１流路区画形成部５２がストッパー部として第１流下路１３の下端出口４６から球が流出することを阻止することができる（第２状態）。
【００３８】
そして、トラブルの修復作業が終了して内枠９を閉じると、球タンク８が後退してレバー１５を回動するので、可動流路部材１７が下方に向く第１状態に復帰する。
【００３９】
また、パチンコ機１の機種交換を行って、交換されたパチンコ機１の機種やメーカーが交換前のもの異なることに起因して、球タンク８の奥行きが交換前と異なった場合には、改めてレバー１５の回動状態を調整する。このとき、スライドベース１１の上下位置を調整してもよいが、機種交換後の球タンク８の高さや奥行きによっては、スライドベース１１の調整の結果、球タンク８の上端が球補給調整装置４にぶつかったり、あるいは、球タンク８と球補給調整装置４とが離れすぎて、供給される球が球タンク８から弾み落ちたりするなどの不具合が生じる場合がある。しかしながら、当接部材５６の当接面５９とレバー１５との位置関係を調整すれば、球補給調整装置４自体の取付位置を移動することなく、第１状態におけるレバー１５の回動位置を所定位置に容易に合わせることができ、上記した不具合が生じることを防ぐことができる。具体的な調整について説明すると、機種交換後の球タンク８の奥行きが交換前よりも短くなった場合には、当接部材５６を前方にずらす、すなわち調整前にレバー１５が保持されていた挿嵌空部６１よりも後方の挿嵌空部６１にレバー１５を保持し直して、当接面５９を球タンク８側へ近づける。一方、機種交換後の球タンク８の奥行きが交換前よりも長くなった場合には、当接部材５６を後方にずらす、すなわち調整前にレバー１５が保持されていた挿嵌空部６１よりも前方の挿嵌空部６１にレバー１５を保持し直して、当接面５９を球タンク８とは反対側へ移動する。
【００４０】
そして、当接部材５６は、図５（ａ）に示すように、島２の上横桟３よりも下側に位置し、内枠９が開くと島２の正面から視認可能な状態になる。したがって、作業員は、楽な姿勢で当接部材５６の調整作業を行うことができ、作業負担を抑えることができる。
【００４１】
なお、上記実施形態では、押圧部材６２に止めネジを採用したが、本発明はこれに限定されず、レバー１５を挿嵌空部６１の区画壁（詳しくは対向面６４）に押圧可能な部材であればどのようなものでもよい。例えば、レバー１５とともに挿嵌空部６１に詰める板材であってもよい。
【００４２】
ところで、上記実施形態では、当接部材５６をレバー１５に保持するのにレバー１５を押圧する押圧部材６２を用いたが、本発明はこれに限定されない。例えば、図８に示す第２実施形態における当接部材７６は、レバー１５を挿嵌したまま挿嵌空部７７の側面開口７７ａを塞ぐことで、レバー１５に取り付けられる。具体的に説明すると、この当接部材７６は、挿嵌空部７７の側面開口７７ａを閉塞可能な蓋部材７８を当接面５９の側方に軸着し、該蓋部材７８の開放側には、本体部５７に形成された爪部７９を係止可能な爪受部８０を設けて、蓋部材７８が本体部５７の側面に重合した状態、すなわち挿嵌空部７７の側面開口７７ａを塞いだ状態を維持できるように構成されている。また、挿嵌空部７７をレバー１５の厚さと略同じ間隔の隙間で形成して、挿嵌されたレバー１５が当該挿嵌空部７７内で前後にガタつかないように構成されている。
【００４３】
このような構成を備えた当接部材７６の挿嵌空部７７にレバー１５を挿嵌し、この状態で挿嵌空部７７を蓋部材７８により閉塞すると、レバー１５の両側に形成された係合受部６６に挿嵌空部７７の奧側の下端縁および蓋部材７８の下端縁が係合して、当接部材７６がレバー１５の下方へ脱落しない（図８（ｃ）参照）。このようにして、レバー１５が変形するほどの負荷を掛けずに当接部材７６を保持することができ、挿嵌空部７７の取付時にレバー１５が損傷しないようにすることができる。また、蓋部材７８により全ての挿嵌空部７７の側面開口７７ａを覆うことで、側面開口７７ａが引っ掛けられてレバー１５が誤動作してしまうことを防ぐことができ、不意に球が球補給調整装置４から流下する不都合を阻止することができる。なお、挿嵌空部７７をレバー１５に係合する係合受部６６は、必ずしも蓋部材７８および本体部５７の両方に係合しなくてもよく、係合受部６６が蓋部材７８または本体部５７の少なくとも一方に係合していればよい。
【００４４】
前記した実施形態ではパチンコ機１を例に挙げたが、遊技機はこれに限定されるものではなく、例えば雀球遊技機、アレンジボール式遊技機など遊技球を使用する遊技機であればよい。
【００４５】
さらに、レバー１５は、球タンク８に押圧されて移動するものであればよく、回動する形式に限らない。例えば、前後方向に移動するレバー１５でもよい。この場合、可動流路部材１７との間はリンク機構等の伝達機構を介して連携し、レバー１５が後退すると可動流路部材１７が回動するように構成する。
【００４６】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００４７】
【図１】パチンコ機を設置した遊技機設置島の上横桟に本発明に係る球補給調整装置を取り付けた状態を示す斜視図である。
【図２】球補給調整装置の斜視図である。
【図３】内枠を閉じた状態における球補給調整装置の斜視図である。
【図４】球補給調整装置の分解斜視図である。
【図５】（ａ）は球の供給を停止している第２状態における球補給調整装置の断面図、（ｂ）は球を供給している第１状態における球補給調整装置の断面図である。
【図６】（ａ）は当接部材およびレバーの斜視図、（ｂ）は分解斜視図、（ｃ）は部分拡大正面図である。
【図７】当接部材およびレバーの断面図である。
【図８】（ａ）は第２実施形態における当接部材およびレバーの斜視図、（ｂ）は分解図、（ｃ）は部分拡大正面図である。
【符号の説明】
【００４８】
１  パチンコ機  
２  遊技機設置島
３  上横桟
４  球補給調整装置
５  下横桟
６  球補給樋
７  分岐管
８  球タンク
９  内枠
１２  分岐管接続部
１３  第１流下路
１４  固定側流路部材
１５  レバー
１５ａ  ストッパー
１６  第２流下路
１７  可動流路部材
３６  流路接続部材
３７  座部材
３８  下部流路部材
５６  当接部材
５７  本体部
５８  取付機構
５９  当接面
６１  挿嵌空部
６２  押圧部材
６４  対向面
６５  連通孔
６６  係合受部
７６  当接部材
７７  挿嵌空部
７７ａ  側面開口
７８  蓋部材
７９  爪部
８０  爪受部
【図１】
2005218549.tif 000003
【図２】
2005218549.tif 000004
【図３】
2005218549.tif 000005
【図４】
2005218549.tif 000006
【図５】
2005218549.tif 000007
【図６】
2005218549.tif 000008
【図７】
2005218549.tif 000009
【図８】
2005218549.tif 000010